(57)【要約】      （修正有）【課題】点滴の際の注射針の固定を簡単かつ確実にする。【解決手段】少なくとも一部が伸縮布より形成されるとともに両端部が互いに着脱自在な平面ファスナーにより形成されて、患者の前腕Ｈの根元部に巻き付けられるバンド本体２と、該バンド本体２が前腕Ｈの根元部に巻き付けられた状態のバンド本体２の上側の外周部分に平面ファスナーにより形成された固定吸着面と、固定吸着面の一端または一端近くに回動自在または折曲自在に接続されるとともに下面に固定吸着面と着脱自在な平面ファスナーにより形成された可動吸着片９とを備え、固定吸着面と可動吸着片９との間に点滴注射針Ｎを挟圧保持する。【選択図】図４
2006150063.tif 000002
【特許請求の範囲】
【請求項１】
少なくとも一部が伸縮部材により形成されるとともに両端部が互いに着脱自在な平面ファスナーにより形成されて腕に巻き付けられるバンド本体と、
該バンド本体が腕に巻き付けられた状態のバンド本体の上側の外周部分に平面ファスナーにより形成された固定吸着面と、
該固定吸着面の一端または一端近くに回動自在または折曲自在に接続されるとともに下面に前記固定吸着面と着脱自在な平面ファスナーにより形成された可動吸着片と、
を備え、前記固定吸着面と可動吸着片との間に点滴注射針と必要な場合の注射針用キャップを挟圧保持することを特徴とする点滴注射針固定用バンド。
【請求項２】
請求項１に記載の点滴注射針固定用バンドにおいて、
前記固定吸着面の周方向略中央部に、注射針位置を示すマークを付設したことを特徴とする点滴注射針固定用バンド。
【請求項３】
請求項１または２に記載の点滴注射針固定用バンドにおいて、
前記可動吸着片のバンド幅方向一端をバンド幅方向に延設して針カバー部を設けたことを特徴とする点滴注射針固定用バンド。
【請求項４】
請求項３に記載の点滴注射針固定用バンドにおいて、
前記針カバー部の基端側のバンド周方向両端に切り込みを形成したことを特徴とする点滴注射針固定用バンド。
【請求項５】
請求項１〜３いずれか１項に記載の点滴注射針固定用バンドにおいて、
前記針カバーに孔を穿設したことを特徴とする点滴注射針固定用バンド。
【請求項６】
帯状の平面ファスナーにより形成されて腕に巻き付けられたときの外側を吸着面とした下側帯と、
帯状の平面ファスナーにより形成されて腕に巻き付けられたときの内側を吸着面とするとともに、一端の内側が前記下側帯の一方の端部に吸着される上側帯と、
帯状の平面ファスナーにより形成されて吸着面を内側とし該吸着面が前記下側帯の他方側の外側面に吸着されるとともに、一端が前記上側帯の他方の端部に連結された押圧帯と、
を備え、互いに吸着されている下側帯と上側帯を腕に巻き付けてそれらの端部を互いに吸着した状態で、前記下側帯の他方側の外側面と前記押圧帯の内側面との間に、点滴注射針と必要な場合の注射針用キャップを挟圧保持することを特徴とする点滴注射針固定用バンド。
【請求項７】
請求項６に記載の点滴注射針固定用バンドにおいて、
前記下側帯の他方側の適位置の幅方向端部に、注射針位置を示す切り込みを形成したことを特徴とする点滴注射針固定用バンド。
【請求項８】
請求項７に記載の点滴注射針固定用バンドにおいて、
前記切り込みは、翼状針の形状と略同形であることを特徴とする点滴注射針固定用バンド。
【発明の詳細な説明】
【技術分野】
【０００１】
本発明は、肘の内側の静脈に刺入された点滴注射針翼状針，静脈針カテーテルを固定する点滴注射針固定用バンドに関する。
【背景技術】
【０００２】
従来、医師または看護師が、患者に点滴注射をする場合は、仰臥している患者の肘を伸ばした状態でその内側の静脈に、前腕側から静脈と平行に近い角度で注射針を刺入し、次いで、注射針の根元部分に絆創膏を貼り付けて注射針を患者の前腕に固定していた。このとき、医師または看護師は、注射針を刺入した直後、一方の手で注射針を保持しているため、両手を使って、使用する絆創膏を切断する作業ができない。そのため、注射針を刺入する前の両手が自由な状態のときに、絆創膏を切断して、患者の腕等に仮止めしておき、注射針を刺入した後の使用の際に、自由な方の片手でその絆創膏を仮止め位置から剥がして、注射針に貼り付けていた。
【０００３】
このように、絆創膏を使って、注射針を固定するには、準備作業が必要であり、煩わしかった。また、絆創膏を使った場合、刺入が問題なくすんでも、注射針の固定の際に、注射針が動いて、液漏れを起こしたり、患者に痛みを与えたりすることがある。また、注射針の抜去の際に、絆創膏の処置に気をとられて、誤って、注射針を医師または看護師の手に刺して感染事故を起こすおそれがあった。また、絆創膏を剥がすときは、注射針が動くため、患者に痛みを与えるという問題があり、さらには、絆創膏に体毛が付着してしまった場合は、それを剥がすとき患者に痛みを与えることになり、患者にやさしい方法ではなかった。また、使用後の絆創膏は廃棄して処分しなければならず、環境への負担となり好ましいものではなかった。そこで、絆創膏を使用しないで注射針を固定する方法として、特許文献１および特許文献２に記載の「腕固定具」が提案された。これは注射針が刺入される側の前腕に巻き付けることで、絆創膏を使わずに注射針を固定するようにしたものである。
【特許文献１】特開平０８−２８０７９７号公報
【特許文献２】特開平０８−１０３４９４号公報
【発明の開示】
【発明が解決しようとする課題】
【０００４】
上述した「腕固定具」は、絆創膏を使わずに注射針を固定することができるものの、前腕全体に巻き付かれるため、必要以上に大げさであり、注射針が刺入された側の前腕の自由を少なからず束縛するとともに、患者へ心理的圧迫を過大に与えるものであった。そのため、これら「腕固定具」は、広く普及するに至らなかった。そこで、本発明は、絆創膏を使わずに注射針を固定することができるとともに、簡便であって前腕を束縛することなく、また患者に心理的負担を与えることのない点滴注射針固定用バンドを提案することを目的とした。
【課題を解決するための手段】
【０００５】
上記課題を解決するために、本発明の点滴注射針固定用バンドは、少なくとも一部が伸縮部材により形成されるとともに両端部が互いに着脱自在な平面ファスナーにより形成されて腕に巻き付けられるバンド本体と、該バンド本体が腕に巻き付けられた状態のバンド本体の上側の外周部分に平面ファスナーにより形成された固定吸着面と、該固定吸着面の一端または一端近くに回動自在または折曲自在に接続されるとともに下面に前記固定吸着面と着脱自在な平面ファスナーにより形成された可動吸着片とを備え、前記固定吸着面と動吸着面との間に点滴注射針と必要な場合の注射針用キャップを挟圧保持することを特徴とする。
【０００６】
ここで、前記固定吸着面の周方向略中央部に、注射針位置を示すマークを付設することが好ましい。また、前記可動吸着片のバンド幅方向一端をバンド幅方向に延設して針カバー部を設けることも可能であり、さらに前記針カバー部の基端側のバンド周方向両端に切り込みを形成することも可能である。
【０００７】
また、本発明の点滴注射針固定用バンドは、帯状の平面ファスナーにより形成されて腕に巻き付けられたときの外側を吸着面とした下側帯と、帯状の平面ファスナーにより形成されて腕に巻き付けられたときの内側を吸着面とするとともに、一端の内側が前記下側帯の一方の端部に吸着される上側帯と、帯状の平面ファスナーにより形成されて吸着面を内側とし該吸着面が前記下側帯の他方側の外側面に吸着されるとともに、一端が前記上側帯の他方の端部に連結された押圧帯とを備え、互いに吸着されている下側帯と上側帯を腕に巻き付けてそれらの端部を互いに吸着した状態で、前記下側帯の他方側の外側面と前記押圧帯の内側面との間に、点滴注射針と必要な場合の注射針用キャップを挟圧保持することを特徴とする。ここで、前記下側帯の他方側の適位置の幅方向端部に、注射針位置を示す切り込みを形成し、また、その切り込みは翼状針の形状と略同形とすることも可能である。
【発明の効果】
【０００８】
以上述べたように本発明によれば、点滴注射針固定用バンドを点滴する側の前腕根元部に巻き付けて平面ファスナーにより吸着保持してから、可動吸着片または押圧帯を剥がした状態で、注射針を患者の肘内側の静脈に刺入し、その状態で注射針の根元部分に可動吸着片または押圧帯を押圧しながら固定吸着面または下側帯に吸着させることで、注射針が可動吸着片と固定吸着面との間または押圧帯と下側帯との間に挟圧保持され、注射針の固定がワンタッチで終了する。また、注射針にその刺入直前まで被せられていたキャップを、固定吸着面と可動吸着片との間にまたは押圧帯と下側帯との間に挟圧保持させることも可能であり、そうすることにより、キャップが紛失されずにしかも衛生的に保持されて、注射針が抜き取られた後のリキャップが容易となる。
【０００９】
また、バンド本体の一部が伸縮部材により形成された場合は、長時間、バンド本体が前腕に巻き付けられていても、圧迫されることがなく快適である。また、バンド本体は、前腕の根元部分に巻き付けられるだけであり、患者の前腕の自由を束縛することなく、患者への心理的圧迫も少ない。さらに、絆創膏を使用しないため剥がすときの痛みが解消されるとともに、絆創膏を不要とした分、環境にもやさしい。
【発明を実施するための最良の形態】
【００１０】
以下、図に基づいて本発明の実施形態を説明する。図１は本発明の点滴注射針固定用バンドの第１の実施形態を示す斜視図であり、図２は図１の要部を示す平面図である。図示されるように、点滴注射針固定用バンド１は、１本の帯状のバンド本体２と、バンド本体２の途中から分岐された針カバー３とからなる。バンド本体２の左端は、下面に吸着面が形成された平面ファスナー４からなり、右端にはその平面ファスナー４と吸着される平面ファスナー５からなる。バンド本体２の略中央部分には、上面を吸着面とした平面ファスナーからなる固定吸着面６が形成され、固定吸着面６の右端位置で、針カバー３が回動自在に接着または縫着されている。
【００１１】
固定吸着面６の中央部分の片側には、注射針の刺入の際の目印として、Ｖ字形の切り込み７が形成されている。固定吸着面６と平面ファスナー４との間には伸縮自在な伸縮布８が接続されている。伸縮布８は、弾力包帯等に使用されている布材と同じく、縦糸にゴム糸を用いて織成したものである。針カバー３は、図２に示されるように、バンド本体２と同一幅の可動吸着片９と、可動吸着片９の片側を延設した凸片１０とからなり、可動吸着片９の下面には、平面ファスナーからなる可動吸着面が形成されている。また、凸片１０の基端側のバンド周方向両端に切り込み１１，１２が形成されて、凸片１０の注射針への挟圧を確実にするように構成されている。なお、可動吸着片９の右端の固定吸着面６との接続部近くは、平面ファスナーの起毛部を設けないようにすると、可動吸着片９の開閉操作が容易となる。
【００１２】
図３は、この点滴注射針固定用バンド１の使用状態を示す説明図である。点滴の注射の際には、医師または看護師は、バンド本体２を患者の点滴をする側の前腕Ｈの根元部分に巻き付けて、両端の平面ファスナー４と平面ファスナー５を互いに吸着させる。このとき、バンド本体２の切り込み７が静脈の位置にくるように位置調節をする。次いで、針カバー３を固定吸着面６から剥がした状態で、注射針Ｎを切り込み７の位置に合わせながら、静脈に刺入する。所定の位置まで刺入がすんだら、医師または看護師は、自由になった手で、針カバー３をつまみ、可動吸着片９を注射針Ｎの根元部分に押圧して、次に、注射針Ｎに当接しない、両側の可動吸着片９を固定吸着面６へ押圧して吸着させる。
【００１３】
その吸着された状態を示したのが図４の斜視図であり、図５は断面図である。図示されるように、凸片１０と可動吸着片９との間に切り込み１１，１２を設けたことで、可動吸着片９は、注射針Ｎの根元部分がその形状に沿って押圧されて固定吸着面６へ吸着されるため、注射針Ｎが左右に振れることなく確実に、前腕Ｈに固定することができ、刺入部分からの点滴液の漏れを確実に防ぐことができる。さらに、注射針Ｎの刺入部分には、アルコール綿（図示せず）を乗せてから、その上方に凸片１０を覆うことで、注射針Ｎの刺入部分が隠され、注射針Ｎが患者の目にふれることがなくなる。
【００１４】
また、刺入部から漏れ出た血液が凸片１０に付着するのを防ぐ効果があり、衛生的である。また、図示しないが、凸片１０の表面にワンポイントマーク等を記載して、患者の目を和ませることも可能である。なお、図示していないが、固定吸着面６と可動吸着片９の間には、注射針Ｎを保持させる以外に、注射針Ｎに刺入直前まで被せられていたキャップを、注射針Ｎと平行に挟圧保持させることも可能である。
【００１５】
図６は本発明の点滴注射針固定用バンドの第２の実施形態を示す平面図である。図６に示した点滴注射針固定用バンド１は、図１の点滴注射針固定用バンドより幅を狭くしたものである。なお、各部の構成は図１の点滴注射針固定用バンドと共通であるので、同一符号を付して説明を省略する。また、図示例では、注射針の刺入位置の目印として、切り込み７を形成したが、着色したマーク等を用いることも可能である。
【００１６】
図７は本発明の点滴注射針固定用バンドの第３の実施形態を示す斜視図であり、図８および図９は第３の実施形態の使用状態を示す断面図である。図７において、２１は吸着面を上面にした平面ファスナーからなる下側帯であり、中央部分より右側の幅方向端部にＶ字形の切り込み２２が形成されている。この下側帯２１は前腕に巻き付けられたとき下側となる。下側帯２１の左端部の上面には、吸着面を下面にした平面ファスナーからなる上側帯２３の右端部が着脱自在に吸着されている。この上側帯２３は前腕に巻き付けられたとき下側帯２１の上側となる。上側帯２３の右端には、リング２４を介して、吸着面を上面にした平面ファスナーからなる押圧帯２５の左端部が連結されている。なお、リング２４は金属、プラスチックであっても良いし、また、紐であっても良い。また、リング２４を用いないで、上側帯２３と押圧帯２５を縫合しても良い。
【００１７】
このように構成された第３の実施形態の点滴注射針固定用バンドを使用する場合は、図８に示すように、点滴注射をする前腕Ｈの肘寄りの位置に、最初に下側帯２１の先端部から巻き付け、その先端部に、上側帯２３を重ね合わせ押圧して吸着させる。このとき、下側帯２１の切り込み２２が、肘の内側の静脈の位置にくるように位置合わせをする。また、下側帯２１と上側帯２３を重ね合わせて吸着させる位置は、前腕Ｈの太さに応じて調節可能である。ここで、注射針ＮのキャップＣを外して、切り込み２２の位置から静脈に刺入する。次に、図８に示されるように、押圧帯２５をリング２４側から、下側帯２１の外側の面に押圧して吸着させる。
【００１８】
次に、図９に示されるように、押圧帯２５により、注射針Ｎの根元部分を押圧した後、先程、外したキャップＣを、注射針Ｎから適当な間隔を置いた位置で、押圧帯２５により挟み込む。これらの処置は、第１の実施形態の場合と同じく、点滴の際の絆創膏の使用を不要にするとともに、医師や看護師が誤って指等に注射針Ｎを刺してしまう事故を防ぐことが可能となる。さらに、下側帯２１の先端部と押圧帯２５の間には、注射針Ｎを保持させる以外に、注射針Ｎに刺入直前まで被せられていたキャップＣを、注射針Ｎと平行に挟圧保持させることで、キャップＣを紛失することがなくなり、また、点滴終了後のリキャップが容易となる。
【００１９】
図１０は本発明の点滴注射針固定用バンドの第４の実施形態を示す斜視図であり、図１１は第４の実施形態の使用状態を示す説明図である。第４の実施形態の点滴注射針固定用バンドは、翼状針を用いた点滴の場合に使用するものである。図１０において、３１は吸着面を下面にした平面ファスナーからなる下側帯であり、中央部分より右側の幅方向端部に翼状針の外形と略同形をしたコ字形の切り込み３２が形成されている。この下側帯３１は前腕に巻き付けられたとき下側となる。
【００２０】
下側帯３１の左端部の下面には、吸着面を上面にした平面ファスナーからなる上側帯３３の右端部が着脱自在に吸着されている。この上側帯３３は前腕に巻き付けられたとき下側帯３１の上側となる。上側帯３３の左端には、リング３４を介して、吸着面を上面にした平面ファスナーからなる押圧帯３５の右端部が連結されている。なお、リング３４は金属、プラスチックであっても良いし、また、紐であっても良い。また、リング３４を用いないで、上側帯３３と押圧帯３５を縫合しても良いし、上側帯３３と押圧帯３５を連続一体にしても良い。
【００２１】
このように構成された第４の実施形態の点滴注射針固定用バンドを使用する場合は、図８に示された第３の実施形態と同じ要領で、点滴注射針固定用バンドを点滴する側の前腕Ｈに巻き付ける。このとき、押圧帯３５は吸着されていない状態であり、下側帯３１の切り込み３２が、肘の内側の静脈の位置にくるように位置合わせをする。また、下側帯３１と上側帯３３を重ね合わせて吸着させる位置は、前腕Ｈの太さに応じて調節可能である。その状態が、図１１の図（ａ）である。すなわち、切り込み３２の底辺部分が、刺入位置Ｐから距離Ａの位置となる。ここで翼状針ＷのキャップＣを外して、下側帯３１の下側に挿入する。
【００２２】
次に、図１１（ｂ）のように、翼状針Ｗを切り込み３２の位置よりも、下方へ移動して、翼状針Ｗの針先を刺入位置Ｐに合わせてから、翼状針Ｗを上方へ移動しながら針先を刺入位置Ｐに刺入する。刺入した状態が、図１１（ｃ）であり、翼状針Ｗの本体部上端と、下側帯３１の幅方向上端が一致している。次に、図１１（ｄ）のように、翼状針Ｗおよび下側帯３１に押圧帯３５を被せてから、翼状針Ｗの中央部分とその左右両側部分に相当する押圧帯３５の部分（図中のハッチング部）を押圧しながら、その周囲を押圧して、押圧帯３５を下側帯３１に吸着させる。これで翼状針Ｗの取り付けが完了するので、点滴が開始可能となる。
【００２３】
こうして、翼状針Ｗによる点滴が終了したら、上述した手順と反対の手順で、翼状針Ｗを抜き取り、図１１（ｅ）のように、下側帯３１の下側に挿入されているキャップＣに、翼状針Ｗの針先を挿入してリキャップする。次に、前腕Ｈから点滴注射針固定用バンドを剥ぎ取って終了する。なお、図１１には、翼状針Ｗに連なるカテーテルを示していないが、翼状針Ｗにはカテーテルが接続されており、その先となる患者の手首近くに、図示していないが、さらに、平面ファスナーからなるバンドを巻き付けて、そのバンドの内側にカテーテルを挿通すると、点滴がさらに安定して確実に行うことができる。      
【００２４】
上記は固定バンド１と針カバー３とが一体となっている場合を説明したが、該針カバー３は固定バンド１から分離された形態でも良い。
又、該針カバー３には、翼状針の翼部又はカテーテル使用時のチューブタコ管部を挿入する為の孔を形成しても良く、該孔によって針の回転が防止され針又はチューブの固定がより強固で確実なものとなる。
例えば、図１２に示す如く、針カバーを分離した態様で、蝶形カバー３６を形成し、そこに孔３６ａを穿設した形態となる。
更に、上記は翼付静注針（翼状針）を例に説明したが、針の長い静脈針及びカテーテルの場合には、針の長さに合わせて固定位置を下げる必要が生じるが、その場合には、蝶形カバー３６に延長カバー３７を付設し、そこに孔３７ａを穿設した形態とすることができる（図１３，図１４）。
【００２５】
そこで、図１２は、本発明の点滴注射用固定バンドの蝶形カバーとした第５の実施形態を示す斜視図であり、図１４は、第５の実施形態の使用状態を示す説明図である。第５の実施形態の点滴注射用固定ベルトは翼状針，静脈針，カテーテルを用いた点滴の場合に使用するものである。
図１２において、３１は吸着面を上面にした平面ファスナーからなる下側帯であり、中央部分より右側の幅方向端部に翼状針の外形と略同形をしたコ字形の切り込み３２が形成されている。下側帯３１の左端部の上面には、吸着面を下面にした平面ファスナーからなる上側帯３３の右端部が着脱自在に吸着されている。この上側３３は、前腕して巻き付けられたとき下側３１の上側となる。
【００２６】
図１２に示すように、下側帯３１の右端部にはコ字形切り込みの反対側にバンドを巻いた枕台３４‘を吸着面を下面にして固定吸着面３１上に枕台固定吸着面３５’で吸着させ刺入後の注射針と点滴用チューブの固定台とする。点滴注射針刺入は、図１４（a）の蝶形カバー３６の中央の孔３６ａに翼状針の翼部Wを挿入し、図１４（ｂ）のように翼部Wとして注射針を蝶形カバーして固定する。静脈針カテーテルでは、延長カバー３７を付設して点滴セットのタコ管部を図１４（ｃ）のようにして、蝶形カバーの孔して挿入する。図１４（ｂ），（ｃ）のようにこの時、蝶形カバーの向きは翼状針の時と全く逆の方向に取り付ける。
【００２７】
図１５は、この点滴注射針固定用バンドの使用状態を示す説明図である。
医師、又は看護士は、バンド本体３１、３３を患者の点滴する側の前腕Ｈの根元部分に巻き付けてバンド本体の切り込み３２が静脈の位置にくるように調節しながら両端の上側帯３１と下側帯３３を互いに吸着させる。次いで注射針Ｎをコ字形切り込み３２の位置にあわせて、刺入が済んだら蝶形カバー３６を軽く固定吸着面３１に押しあてて、注射針Ｎを蝶形カバー３６の下側吸着面と固定吸着面３１との間で挟圧保持する。図１６（a）に示すように、切り込み反対側のバンドの枕台３４‘により注射針Ｎは刺入部位で浮き上がることなく角度をもって静脈内に留置され安定する図１６（ｂ）に示すよう静脈針、カテーテルも同様に挟圧保持される。
図１６は点滴注射針バンドの４の使用状態を示す説明図である。図１６（a）は翼状針、図１６（ｂ）は静脈針、カテーテルの仕様である。図１６の（a）と（ｂ）では蝶形カバーの向きが反対である。
【００２８】
こうして、翼状針Ｗによる点滴が終了したら、上述した手順と反対の手順で、蝶形カバーを下側帯３１からはがして翼状針Wを抜き取り下側帯３１の下側に挿入されているキャップCに翼状針Wの針先を挿入してリキャップする。
【００２９】
この第４の実施形態は、第１および第３の実施形態の場合と同じく、点滴の際の絆創膏の使用を不要にするとともに、医師や看護師が誤って注射針を手に刺してしまう事故を防止できる効果があるが刺入後、注射針が瞬時に吸着、固定される。また、キャップＣを、下側帯３１の下側に挿入して保持させることで、キャップＣを紛失することがなくなり、リキャップも容易となる。特に、この第４の実施形態では、翼状針の外形と略同形をしたコ字形の切り込み３２を形成したことで、翼状針の刺入処置が容易となる。なお、本発明の点滴注射針固定用バンドは、繰り返し使用する場合、ＥＯＧ（エチレンオキサイドガス）を用いたガス滅菌により、消毒することで安全性を確保できる。
【００３０】
第５の実施態様は、該針カバー３は固定バンド１から分離された形態で、取り扱いが容易となり、又、翼状針の翼部又はカテーテル使用時のチューブタコ管部を挿入する為の孔を形成すれば、該孔によって針の回転が防止され針又はチューブの固定がより強固で確実なものとなる。更に、蝶形カバー３６に延長カバー３７を付設すれば、針の長い静脈針及びカテーテルの場合には、針の長さに合わせて固定位置を下げることができる。
【００３１】
本発明の点滴注射針固定用バンドは、以上のように構成されたことで、次のような効果がある。
（１）絆創膏を使用しないため、注射針を固定および抜去する際に、絆創膏による痛みを与えることがない。
（２）同じく、絆創膏を使用しないため、医師または看護師による注射針の刺入、固定および抜去の処置が簡単になり、抜去後の注射針による感染事故も防止できる。
（３）同じく、絆創膏を使用しないため、処置後に、廃棄するゴミが少なくなり、環境への負担が軽減される。
【００３２】
（４）固定吸着面と可動吸着片の間または押圧帯と下側帯の間には、注射針を保持させる以外に、注射針に刺入直前まで被せられていたキャップを、注射針と平行に挟圧保持させることも可能であり、そうすることにより、キャップが紛失されずにしかも衛生的に保持されてリキャップが容易となる。
（５）バンド本体の途中に伸縮布を設けた場合は、前腕への圧迫が少なくなり、長時間経過しても、痛みを伴うことがなくなる。
（６）同じく、伸縮布を設けた場合は、長時間経過しても、バンド本体２がずれて移動することがないため、点滴が確実になる。
（７）点滴注射針固定用バンドは繰り返し使用することが可能であるため、経済的である。
【産業上の利用可能性】
【００３３】
本発明は、点滴注射針以外、翼状針及び静脈針、カテーテル等にも使用可能であり、又、患者の肘の内側の静脈に点滴する場合に以外に、患者の下肢に点滴する場合にも利用可能である。
【図面の簡単な説明】
【００３４】
【図１】本発明の点滴注射針固定用バンドの第１の実施形態を示す斜視図である。
【図２】図１の要部を示す平面図である。
【図３】第１の実施形態の点滴注射針固定用バンドの使用状態を示す説明図である。
【図４】第１の実施形態の点滴注射針固定用バンドの使用状態を示す説明図である。
【図５】図４の断面図である。
【図６】本発明の点滴注射針固定用バンドの第２の実施形態を示す平面図である。
【図７】本発明の点滴注射針固定用バンドの第３の実施形態を示す斜視図である。
【図８】第３の実施形態の使用状態を示す断面図である。
【図９】第３の実施形態の使用状態を示す断面図である。
【図１０】本発明の点滴注射針固定用バンドの第４の実施形態を示す斜視図である。
【図１１】第４の実施形態の使用状態を示す説明図である
【図１２】第５の実施形態を示す斜視図である。
【図１３】第５の実施形態で延長バンドを施した状態の斜視図である。
【図１４】第５の実施形態を示す斜視図である。
【図１５】第５の実施形態の使用状態を示す説明図である。
【図１６】第５の実施形態の点滴注射針固定用バンドの使用状態を示す説明図である。
【符号の説明】
【００３５】
１  点滴注射針固定用バンド
２  バンド本体
３  針カバー
４，５  平面ファスナー
６  固定吸着面
７  切り込み
８  伸縮布
９  可動吸着片
１０  凸片
１１，１２  切り込み
２１  下側帯
２２  切り込み
２３  上側帯
２４  リング
２５  押圧帯
３１  下側帯
３２  切り込み
３３  上側帯
３４  リング
３４‘  枕台
３５  押圧帯
３５‘  枕台固定吸着面
３６  蝶形カバー
３６ａ  孔
３７  延長カバー
３７ａ
Ａ  距離
Ｃ  キャップ
Ｈ  腕
Ｎ  注射針
Ｐ  刺入位置
V  静脈
Ｗ  翼状針
【図１３】
2006150063.tif 000003
【図１４】
2006150063.tif 000004
【図１】
2006150063.tif 000005
【図２】
2006150063.tif 000006
【図３】
2006150063.tif 000007
【図４】
2006150063.tif 000008
【図５】
2006150063.tif 000009
【図６】
2006150063.tif 000010
【図７】
2006150063.tif 000011
【図８】
2006150063.tif 000012
【図９】
2006150063.tif 000013
【図１０】
2006150063.tif 000014
【図１１】
2006150063.tif 000015
【図１２】
2006150063.tif 000016
【図１５】
2006150063.tif 000017
【図１６】
2006150063.tif 000018